(57)【要約】【課題】電子装置のすべての発熱位置に対して放熱作用を行う拡散型放熱装置を提供する。【解決手段】板体１を備え、板体１は、外側に広がって碗状のチャンバ１１が形成され、板体１にはノッチ１２が設けられ、板体１の上方には対応するように通気板２が接合される。通気板２には複数の排気口２１が設けられ、空気の通り道となる。板体１と通気板２との間で、ノッチ１２に対応する位置に軸流ファン４が配置される。板体１の下方にはカバー６が配置され、通気板２と対応するように接合し、板体１をその間に覆い尽くす。カバー６の先端には吸気口６１が設けられ、外部の空気を吸気口６１からカバー６内に吸入し、ファン４の吸引及び送風により発生させられた気流はチャンバ１１に沿って対応する通気板２全体に及び、最後に複数の排気口２１から排気され放熱を行なう。【選択図】図１
0003136196.tif 000002
【実用新案登録請求の範囲】
【請求項１】
板体、通気板及びファンを備える拡散型放熱装置であって、
前記板体は外側に凹んだ部分が形成するチャンバを有し、前記チャンバの底部には前記板体を貫通するノッチが設けられ、
前記通気板は前記板体と接合され、前記通気板の表面には複数の排気孔が設けられ、空気の通り道となり、
前記ファンは前記板体と前記通気板との間で、前記ノッチと開口部とに対応する位置に配置され、前記ノッチから吸入した気流を送り出すことを特徴とする拡散型放熱装置。
【請求項２】
前記板体及び前記通気板と接合し、前記通気板と対応するように接合すると、前記板体をその間に覆い尽くすカバーをさらに備えることを特徴とする請求項１に記載の拡散型放熱装置。
【請求項３】
前記カバーの先端には吸気孔を有し、前記カバー内部に空気を流動させることを特徴とする請求項２に記載の拡散型放熱装置。
【請求項４】
前記カバーの両側面に各々の吸気孔を有し、前記カバー内部に空気を流動させることを特徴とする請求項２に記載の拡散型放熱装置。
【請求項５】
前記カバーは前記板体を支持するために、支持板をさらに備えることを特徴とする請求項１に記載の拡散型放熱装置。
【請求項６】
空気を流動させるために、前記支持板と前記カバー底部との間に収納空間を形成することを特徴とする請求項５に記載の拡散型放熱装置。
【請求項７】
空気を流動させるために、前記支持板上で、前記板体の前記ノッチに対応する位置に複数の通気口を有することを特徴とする請求項５に記載の拡散型放熱装置。
【請求項８】
前記チャンバは碗状を呈することを特徴とする請求項１に記載の拡散型放熱装置。
【請求項９】
前記通気板上の前記ノッチに対応する位置に前記開口部を有することを特徴とする請求項１に記載の拡散型放熱装置。
【請求項１０】
前記開口部を密封するために、前記開口部は対応する上部カバーにさらに接合することを特徴とする請求項９に記載の拡散型放熱装置。
【請求項１１】
前記ファンは軸流ファンであることを特徴とする請求項１に記載の拡散型放熱装置。
【請求項１２】
前記排気口は円形を呈することを特徴とする請求項１に記載の拡散型放熱装置。
【請求項１３】
前記排気口は長い形を呈し、間隔を開けて配列されることを特徴とする請求項１に記載の拡散型放熱装置。
【請求項１４】
前記ファンは上部に固定板を配置し、前記ファンの位置を固定することを特徴とする請求項１に記載の拡散型放熱装置。
【考案の詳細な説明】
【技術分野】
【０００１】
本考案は、放熱装置に関し、特に電子装置の底部に貼り付ける放熱装置に関する。
【背景技術】
【０００２】
放熱機能は、現在において、常に電子テクノロジーの発展に影響を与えるキーポイントである。テクノロジー及び材料に牽引され、電子装置は、機能がますます強化されるだけでなく、動作時に発生する熱量もまたますます大きくなっており、電子装置の正常な動作温度に直接影響を与え、電子装置の寿命を縮めてしまうこともあった。そのため、適当な放熱装置は、現在において、電子装置の設計上必要なものになっている。
【０００３】
現在見かける電子製品の内部に搭載される電子アセンブリは、対応する放熱設計を組み合わせるのが一般的であり、放熱設計は放熱作用を行なうのを助け、電子アセンブリの正常な動作温度を維持するのに用いられる。しかし、現在の電子製品は、設計上、ノート型パソコンのように軽薄短小化の趨勢にあり、デスクトップ型パソコンのように大容量のケースを備え、同時に多数の放熱モジュールを配置することが不可能である。そのため、ノート型パソコンのような電子装置は、外部の放熱装置の助けを借りて、放熱需要を満たさなければならなかった。
【０００４】
従来の設計において、初期に、放熱を補助するのに用いられた放熱装置は、ノート型パソコンの底部に配置された放熱板であった。この放熱板は、高導熱の特性を有する材料からなり、ノート型パソコンの底部に直接貼り付けられた。放熱板は高導熱の特性により、ノート型パソコンが発生させた熱量を吸収し、次に、放熱板全体に拡散させ、最後に、放熱板と空気とによる熱交換作用を行ない放熱を助ける。しかし、導熱作用の放熱効率は、ノート型パソコン内において発生した熱量に追い付かず、従来の放熱板は放熱効率が悪かった。
【０００５】
そこで、後続の従来技術においては、放熱効率不足という問題を解決するため、放熱板の底部にファンを配置し、ノート型パソコン内において、最も熱量を発生させやすい部分に、ファンにより発生する強制気流の照準を合わせ、放熱効果を加速させた。しかし、この種のファンは、放熱板の決められた位置に配置されるという固定位置の方法によるのが普通であり、ファンの送風は同一の位置に対して強制的に放熱させる放熱作用しかなく、ノート型パソコンの底部全体部分に対して強制的に放熱させる放熱作用を有することができないため、唯一の欠点とされてきた。
【特許文献１】特開２０００−２６９６７６号公報
【考案の開示】
【考案が解決しようとする課題】
【０００６】
本考案の目的は、チャンバを備える板体を配置することにより、軸流ファンが発生させる強制気流を拡散させ、気流の冷気による放熱作用を、対応する電子装置のすべての発熱位置に及ぼす強制気流を拡散運用した拡散型放熱装置を提供することにある。
【課題を解決するための手段】
【０００７】
上述の目的を達成するため、本考案は拡散型放熱装置を提供する。本考案の拡散型放熱装置は板体を備える。板体は、外側に広がって碗状のチャンバが形成される。板体にはノッチが設けられ、板体の上方には対応するように通気板が接合される。通気板には複数の排気口が設けられ、空気の通り道となる。板体と通気板との間で、ノッチに対応する位置に軸流ファンが配置される。板体の下方にはカバーが配置され、通気板と対応するように接合し、板体をその間に覆い尽くす。カバーの先端には吸気口が設けられ、外部の空気を吸気口からカバー内に吸入し、ファンの吸引及び送風により発生させられた気流はチャンバに沿って対応する通気板全体に及び、最後に複数の排気口から排気され放熱を行なう。
【考案の効果】
【０００８】
チャンバを備える板体を配置することにより、軸流ファンが発生させる強制気流を拡散させ、気流の冷気による放熱作用を、対応する電子装置のすべての発熱位置に及ぼすことで、従来のファンによる放熱装置の欠点である同一位置に対して強制的に放熱させる放熱作用を改善する。これにより、電子装置の正常な動作温度を維持し、電子装置の寿命を伸ばすことができる。
【考案を実施するための最良の形態】
【０００９】
以下、本考案の実施形態を図面に基づいて説明する。図１は、本考案の実施形態による放熱装置を示す分解斜視図である。図１に示すように、本考案の放熱装置は、板体１を備える。板体１の底部は、外側に広がって碗状のチャンバ１１が形成される。本実施形態において、チャンバ１１の周縁は、孤形状を呈する。板体１の底部に板体１の底部を貫通するノッチ１２が設けられ、板体１の上方には対応するように通気板２が接合される。通気板２は、ノート型パソコンのような電子装置を搭載するのに用いられ、通気板２の周縁の形状は板体１と同様である。通気板２には複数の排気口２１が設けられ、本実施形態において、排気口２１は円形を呈し、空気の通り道となる。板体１のノッチ１２に対応する位置に開口部２２が設けられ、また開口部２２に対応する位置に上部カバー３が配置され、開口部２２を密封する。図２は、本考案の実施形態による放熱装置を示す斜視図である。図２に示すように、ノッチ１２と開口部２２との間にファン４が配置される。本実施形態において、ファン４は軸流ファンであり、ファン４の上方に固定板５が配置され、ファン４の位置を固定させる。板体１の下方にはカバー６が配置され、カバー６の内部は中空を呈し、横から見ると、傾斜状を呈し、板体１の外側に凸出したチャンバ１１を収納するのに用いられる。通気板２と対応するように接合し、板体１をその間に覆い尽くす。カバー６の先端には吸気口６１が設けられ、外部の空気の進入口になる（図４に示す）。以上の組立完成を示す図が図３である。図３は、本考案の実施形態による放熱装置の組立完成を示す斜視図である。
【００１０】
図４は、本考案の実施形態による放熱装置を示す断面図である。図５は、本考案の実施形態による放熱装置を示す平面図である。図４及び図５に示すように、放熱装置内部に配置されたファン４が動作を開始すると、ファン４の回転が強制気流を発生させ、外部の冷気を、カバー６の先端に有る吸気口６１（矢印で示す）からカバー６の内部に取り込む。次に、ファン４の吸引により板体１の形成するチャンバ１１内に送られ、チャンバ１１の碗状構造により気流をチャンバ１１の面に沿って外側に拡散させ（図５に矢印で示す）、外部の冷気をチャンバ１１の内部に充満させる。最後に、板体１に対応して接合される通気板２に設けられた複数の排気口２１から排気される。図６は、本考案の実施形態による放熱装置を示す断面図である。図６の矢印が示すように、排気口２１から排気された冷気が通気板２に接合された電子装置（図示せず）と熱交換作用を行ない、電子装置が発生させた熱量を放熱して、電子装置を正常な動作温度範囲内に維持する。
【００１１】
図７は、本考案のカバーのもう一つの実施形態を示す断面図である。図７に示すように、カバー６は横から見ると、傾斜状を呈し、カバー６の内部には傾斜した支持板６２が配置され、支持板６２は板体１の底部と接合し、板体１の底部に設けられたノッチ１２に対応する位置に複数の通気口６２１を設け、ファン４の吸気口とする。支持板６２は、カバー６の底部との間に収納空間６３を形成し、カバー６の先端は開口状態であり、外部の空気がカバー６の先端から収納空間６３内に取り込まれ、次にファン４の回転作用により支持板６２の通気口６２１から板体１のチャンバ１１内に進み、チャンバ１１全体に拡散した後、頂部が接合する通気板２に設けられた複数の排気口２１から排気され、放熱作用を行なう。図８は、本考案のカバーのさらにもう一つの実施形態を示す断面図である。図８に示すように、カバー６の吸気口の位置は、前記したカバー６の先端に設ける以外に、カバー６の吸気量を増加させるために、カバー６の両側の位置に吸気口６１ａ、６１ｂを設けても良い。
【００１２】
図９は、本考案の通気板のもう一つの実施形態を示す斜視図である。図９に示すように、通気板２の形態は、前記した排気口２１が円形である以外に、チャンバ１１内の空気が排気口２１から排気されやすいように、排気口２１は長い隙間を呈し、間隔を開けて配列される形であっても良い。
【００１３】
図１０は、本考案のファンのもう一つの実施形態を示す斜視図である。図１０に示すように、ファン４の形態は、前記した軸流ファンである以外に、一般の直流ファンであっても良い。対応する上部カバー３がファン４の発生させる強制気流の方向を抑え込み、チャンバ１１に沿って気流を拡散し、同様の効果を得ることができる。
【００１４】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【００１５】
【図１】本考案の実施形態による放熱装置を示す分解斜視図である。
【図２】本考案の実施形態による放熱装置を示す斜視図である。
【図３】本考案の実施形態による放熱装置の組立完成を示す斜視図である。
【図４】本考案の実施形態による放熱装置を示す断面図である。
【図５】本考案の実施形態による放熱装置を示す平面図である。
【図６】本考案の実施形態による放熱装置を示す断面図である。
【図７】本考案のカバーのもう一つの実施形態を示す断面図である。
【図８】本考案のカバーのさらにもう一つの実施形態を示す断面図である。
【図９】本考案の通気板のもう一つの実施形態を示す斜視図である。
【図１０】本考案のファンのもう一つの実施形態を示す斜視図である。
【符号の説明】
【００１６】
１  板体
２  通気板
３  上部カバー
４  ファン
５  固定板
６  カバー
１１  チャンバ
１２  ノッチ
２１  排気口
２２  開口部
６１  吸気口
６１ａ  吸気口
６１ｂ  吸気口
６２  支持板
６３  収納空間
６２１  通気口
【図１】
0003136196.tif 000003
【図２】
0003136196.tif 000004
【図３】
0003136196.tif 000005
【図４】
0003136196.tif 000006
【図５】
0003136196.tif 000007
【図６】
0003136196.tif 000008
【図７】
0003136196.tif 000009
【図８】
0003136196.tif 000010
【図９】
0003136196.tif 000011
【図１０】
0003136196.tif 000012